(57)【特許請求の範囲】
【請求項１】
１又は２以上の半導体素子が配置される回路領域を一主面上に有する放熱板と、
前記半導体素子に接続され、締結孔を有する一対の端子と、
前記放熱板の前記回路領域を覆い前記半導体素子を封止するとともに、上面に形成された端子面と、長手方向の一対の側面と、短手方向の一対の前後面とを有し、端子ナットを埋没させるためのナット収容開口が前記端子面に形成された樹脂筐体と、を備え、
前記樹脂筐体は、一対の前記端子の夫々に当接し、前記端子の折り曲げ位置を規定する一対の折り曲げ当接部を有し、
一方の前記端子に対応する一方の前記折り曲げ当接部と、他方の前記端子に対応する他方の前記折り曲げ当接部は、異なる高さに形成されており、
前記一対の端子は、前記ナット収容開口を挟む位置において前記樹脂筐体から突出し、前記ナット収容開口上において互いに重複するようにそれぞれ折り曲げられており、前記締結孔が前記ナット収容開口と対向することを特徴とする半導体装置。
【請求項２】
一対の前記端子は、前記樹脂筐体の前記側面から互いに離間する方向に向かって突出しており、一対の前記側面に沿ってそれぞれ折り曲げられている前記端子が、前記ナット収容開口上において互いに重複するようにそれぞれ更に折り曲げられており、前記締結孔が前記ナット収容開口と対向することを特徴とする請求項１に記載の半導体装置。
【請求項３】
一対の前記端子の重複部分は、略平行であることを特徴とする請求項１又は２に記載の半導体装置。
【請求項４】
一対の前記折り曲げ当接部の何れか一方は、前記端子面の縁部に形成された突起部であることを特徴とする請求項１乃至３のいずれかに記載の半導体装置。
【請求項５】
前記折り曲げ当接部の一方は、前記端子面の縁部であり、
前記折り曲げ当接部の他方は、前記端子面の縁部に形成された突起部であることを特徴とする請求項１乃至３のいずれかに記載の半導体装置。
【請求項６】
前記端子面の前記縁部は、前記端子面の上端から前記側面に形成された溝状の壁と、前記壁の下端から前記側面の間に形成された面とからなる一対の段差部を備え、
一対の前記端子は、前記段差部の前記面から筐体外に突出しており、前記側面に沿って折り曲げられている前記端子が、前記溝状の前記壁内に配置されていることを特徴する請求項４又は５に記載の半導体装置。
【請求項７】
一対の前記折り曲げ当接部は、前記端子面の縁部に形成された異なる高さの一対の突起部であることを特徴とする請求項１乃至３のいずれかに記載の半導体装置。
【請求項８】
前記樹脂筐体は、トランスファーモールド法を用いて形成されることを特徴とする請求項１乃至７のいずれかに記載の半導体装置。
【発明の詳細な説明】
【技術分野】
【０００１】
本発明は、半導体装置に係り、更に詳しくは、半導体素子を封止する樹脂筐体上に端子ナットを埋没させるためのナット収容開口が形成され、外部端子の締結孔がナット収容開口上に配置される半導体装置の改良に関する。
【背景技術】
【０００２】
サイリスタ、ダイオード、トランジスタなどのパワー半導体素子を樹脂封止した半導体装置が従来から知られている（例えば、特許文献１）。図６は、従来の半導体装置の一例を示した断面図である。放熱板１０上に半導体素子５０が配置され、半導体素子５０に外部端子３０が接続されている。放熱板１０の上面側には樹脂筐体２０が形成され、半導体素子５０と、外部端子３０の一部とを封止している。また、樹脂筐体２０の上面には、端子ナット４０を収容するためのナット収容開口２１が形成されている。
【０００３】
外部端子３０は、樹脂筐体２０の上面から上方に向けて突出し、樹脂筐体２０外においてナット収容開口２１側へ折り曲げられる。外部端子３０の先端付近には、締結孔３３が形成されており、外部端子３０を折り曲げることにより、外部端子３０の先端が、ナット収容開口２１を覆うように配置され、当該締結孔３３がナット収容開口２１と対応するように配置される。
【０００４】
このような半導体装置の外部端子３０は、配線を通じて外力が加わることにより、浮き上がってしまうという問題があった。図７は、外部端子３０が浮き上がっている状態を示した図である。配線４１には、端子金具４２が取り付けられ、端子金具４２の締結孔及び外部端子３０の締結孔３３に締結ネジ４３を挿通し、締結ネジ４３と端子ナット４０とを締結することにより、配線４１は外部端子３０に連結される。
【０００５】
この配線４１に対し引っ張る方向の外力が加えられた場合、図示したように、外部端子３０が浮き上がるという問題があった。そして、このような浮き上がり動作を繰り返した場合、外部端子３０の折り曲げ部分が破断するおそれがあった。
【０００６】
また、このような課題を解決するための方法が従来から提案されている（例えば、特許文献２）。特許文献２には、外部端子を延長し、下向きに折り曲げて、外囲ケース内のモールド樹脂の中に埋め込む構成や、ケース上蓋と一体にモールド成形する構成が記載されている。また、補助端子金具を外囲ケースの開口穴に差し込む構成や、外囲ケースのフック部に係止固定する構成が記載されている。このような構成を採用することにより、外部端子を１点で支持するのではなく、２点で支持することができ、外部端子の浮き上がりを抑制することができると考えられる。
【先行技術文献】
【特許文献】
【０００７】
【特許文献１】特開平５−１３６３３３号公報
【特許文献２】特開平６−１２０３９０号公報
【発明の概要】
【発明が解決しようとする課題】
【０００８】
しかしながら、従来の半導体装置は、外部端子の浮き上がり防止するために、補強の為だけの目的で、補助端子金具のような新たな部材を追加する必要があり、あるいは、アンカー部をケース内に挿入するなどの新たな工程を追加する必要がある。このため、製造工程が複雑になるという問題があった。
【０００９】
本発明は、上記の事情に鑑みてなされたものであり、外力が加えられた際における外部端子の浮き上がりを抑制し、半導体装置の信頼性を向上させることを目的とする。特に、従来の半導体装置に比べて、製造工程を複雑化させることなく、外部端子の浮き上がりを抑制することを目的とする。
【課題を解決するための手段】
【００１０】
本発明の第１の態様による半導体装置は、１又は２以上の半導体素子が配置される回路領域を一主面上に有する放熱板と、前記半導体素子に接続され、締結孔を有する一対の端子と、前記放熱板の前記回路領域を覆い前記半導体素子を封止するとともに、上面に形成された端子面と、長手方向の一対の側面と、短手方向の一対の前後面とを有し、端子ナットを埋没させるためのナット収容開口が前記端子面に形成された樹脂筐体と、を備え、前記樹脂筐体が、一対の前記端子の夫々に当接し、前記端子の折り曲げ位置を規定する一対の折り曲げ当接部を有し、一方の前記端子に対応する一方の前記折り曲げ当接部と、他方の前記端子に対応する他方の前記折り曲げ当接部が、異なる高さに形成されており、前記一対の端子が、前記ナット収容開口を挟む位置において前記樹脂筐体から突出し、前記ナット収容開口上において互いに重複するようにそれぞれ折り曲げられており、前記締結孔が前記ナット収容開口と対向するように構成される。
【００１１】
上記構成を採用することにより、一対の端子によって１つの外部端子が形成され、当該一対の端子がナット収容開口を挟む２つの位置において樹脂筐体に支持される。このため、配線を介して外力が加えられた場合に外部端子が浮き上がるのを抑制することができる。
【００１２】
また、１つの外部端子と樹脂筐体内の回路領域とが、一対の端子を介して接続されるため、回路領域から外部端子までの配線抵抗を低減することができる。
【００１３】
また、従来の半導体装置とは異なる新たな部材を採用せず、また、新たな製造工程を追加する必要がないことから、製造工程を複雑化することなく、また、安定した製造を実現することができる。
【００１４】
さらに、端子の折り曲げ位置がばらつき、折り曲げられた端子の締結孔がナット収容開口に対応しなくなるのを防止することができる。このため、製造工程における端子の折り曲げ作業を容易化することができる。また、一対の折り曲げ当接部の高さを異ならせることにより、一対の端子を適切に重複させるように折り曲げることができる。
【００１５】
本発明の第２の態様による半導体装置は、上記構成に加えて、一対の前記端子が、前記樹脂筐体の前記側面から互いに離間する方向に向かって突出しており、一対の前記側面に沿ってそれぞれ折り曲げられている前記端子が、前記ナット収容開口上において互いに重複するようにそれぞれ更に折り曲げられており、前記締結孔が前記ナット収容開口と対向するように構成される。
【００１６】
本発明の第３の態様による半導体装置は、上記構成に加えて、前記一対の端子の重複部分が、略平行となるように構成される。
【００１７】
上記構成を採用することにより、一対の端子を締結ネジと端子ナット間に挟み込むことによる端子の変形を防止することができ、半導体装置の信頼性を向上させることができる。
【００１８】
本発明の第４の態様による半導体装置は、上記構成に加えて、一対の前記折り曲げ当接部の何れか一方が、前記端子面の縁部に形成された突起部であるように構成される。
【００１９】
本発明の第５の態様による半導体装置は、上記構成に加えて、前記折り曲げ当接部の一方が、前記端子面の縁部であり、前記折り曲げ当接部の他方が、前記端子面の縁部に形成された突起部であるように構成される。
【００２０】
このような構成を採用することにより、先に折り曲げられるべき一方の端子と、後に折り曲げられるべき他方の端子とを視覚的に判別することができる。このため、製造時に一対の端子を折り曲げる際、誤った順序で端子が折り曲げられるのを防止することができる。
【００２１】
本発明の第６の態様による半導体装置は、上記構成に加えて、前記端子面の前記縁部が、前記端子面の上端から前記側面に形成された溝状の壁と、前記壁の下端から前記側面の間に形成された面とからなる一対の段差部を備え、一対の前記端子は、前記段差部の前記面から筐体外に突出しており、前記側面に沿って折り曲げられている前記端子が、前記溝状の前記壁内に配置されているように構成される。
【００２２】
このような構成を採用することにより、溝状の壁内に端子の少なくとも一部が収容され、端子が斜めにねじれて折り曲げられるのを防止することができる。また、端子が斜めに折り曲げられたことを容易に目視で確認することができる。
【００２３】
本発明の第７の態様による半導体装置は、上記構成に加えて、一対の前記折り曲げ当接部が、前記端子面の前記縁部に形成された異なる高さの一対の突起部であるように構成される。
【００２４】
本発明の第８の態様による半導体装置は、上記構成に加えて、前記樹脂筐体が、トランスファーモールド法を用いて形成されるように構成される。
【００２５】
このような構成を採用することにより、一体成形された樹脂筐体内に一対の端子の一部が埋設され、一対の端子が樹脂筐体によって強固に支持される。このため、外部端子の浮き上がりを効果的に抑制することができる。また、一対の端子を同時に樹脂封止することができるため、従来の半導体層装置と比較して製造工程を複雑化することなく実現することができる。
【発明の効果】
【００２６】
本発明による半導体装置では、外部端子がナット収容開口を挟んで対向する２つの位置において樹脂筐体により支持される。このため、外力が加えられた際における外部端子の浮き上がりを抑制し、半導体装置の信頼性を向上させることができる。特に、従来の半導体装置に比べて、製造工程を複雑化させることなく、外部端子の浮き上がりを抑制することができる。
【図面の簡単な説明】
【００２７】
【図１】本発明の実施の形態による半導体装置１の一構成例を示した斜視図である。
【図２】図１の半導体装置１の製造工程における状態の一例を示した図であり、第１，第２端子３１，３２を折り曲げる前の状態が示されている。
【図３】図１の半導体装置１の内部構成の一例を示した図であり、図１のＡ−Ａ切断線により切断した場合の断面図である。
【図４】図１の半導体装置１の外観の詳細構成の一例を示した側面図である。
【図５】第１，第２端子３１，３２を折り曲げる前の状態を示した平面図である。
【図６】従来の半導体装置の一例を示した断面図である。
【図７】外部端子３０が浮き上がっている状態を示した図である。
【発明を実施するための形態】
【００２８】
以下、本発明の実施の形態について、図面を参照して説明する。本明細書では、便宜上、放熱板が半導体装置の下面に配置され、端子面が半導体装置の上面に形成されるものとして説明するが、本発明による半導体装置の使用時における姿勢を限定するものではない。
【００２９】
図１は、本発明の実施の形態による半導体装置１の一構成例を示した斜視図である。半導体装置１は、放熱板１０の上面に形成された回路領域を樹脂筐体２０で封止して構成され、樹脂筐体２０の上面には、２つの外部端子３０が形成されている。外部端子３０は、一部が互いに重複するように配置された一対の第１端子３１及び第２端子３２によって構成される。
【００３０】
樹脂筐体２０の上面より高い位置に形成された端子面２２には、端子ナット４０を埋没させるためのナット収容開口２１が形成されている。また、一対の第１，第２端子３１，３２には、第１，第２締結孔３３，３４がそれぞれ形成されている。これらの第１，第２締結孔３３，３４を上記ナット収容開口２１と対応する位置に配置することにより、図示しない締結ネジを２つの第１，第２締結孔３３，３４に挿通して端子ナット４０と係合することができる。
【００３１】
第１，第２端子３１，３２は、樹脂筐体２０に封止された半導体素子に接続され、その一部がナット収容開口２１を挟む位置において互いに離間する方向に向けて樹脂筐体２０から突出している。第１，第２端子３１，３２の樹脂筐体２０外に露出した部分が、垂直方向上向きに折り曲げられ、次いでナット収容開口２１に向けて折り曲げられている。このようにして、一対の第１端子３１と第２端子３２の先端は、前記ナット収容開口２１上に互いに重複するように配置される。このとき、一対の第１，第２端子３１，３２の第１，第２締結孔３３，３４は、樹脂筐体２０の端子面２２に形成されたナット収容開口２１と対向するように配置される。
【００３２】
外部端子３０が一対の第１，第２端子３１，３２で構成され、これらの第１，第２端子３１，３２が、樹脂筐体２０の端子ナット４０を挟んで反対側の２カ所の位置において、樹脂筐体２０によりそれぞれが強固に支持されている。このため、外力により外部端子３０が浮き上がるのを抑制することができる。また、１つの外部端子３０を構成する２つの第１，第２端子３１，３２が、締結ネジで密着するよう締結されることにより、配線抵抗を低減し、損失を抑制することができる。
【００３３】
図２は、図１の半導体装置１の製造工程における状態の一例を示した斜視図であり、第１，第２端子３１，３２を折り曲げる前の状態が示されている。また、図３は、図１の半導体装置１の内部構成の一例を示した図であり、図１のＡ−Ａ切断線により切断した場合の断面図である。また、図４は、図１の半導体装置１の外観の詳細構成の一例を示した側面図である。また、図５は、図１の半導体装置１の製造工程における状態の一例を示した外観図であり、第１，第２端子３１，３２を折り曲げる前の状態を示した平面図である。
【００３４】
放熱板１０は、細長い形状を有する板状体であり、熱導電特性が良好な材料が用いられる。例えば、ニッケルめっきを行った銅板を使用することができる。放熱板１０の長手方向の両端には、図示しない取付面に取り付けるための取付穴１１が設けられている。また、放熱板１０の上面には、２つの取付穴１１に挟まれた回路領域５４が形成され、１又は２以上の半導体素子５０が配置されている。例えば、ダイオード、サイリスタ、トランジスタなどの電源回路用のパワー半導体素子が配置される。
【００３５】
一対の第１，第２端子３１，３２は、１又は２以上の半導体素子５０に対し、半田付けで接続される。一対の第１，第２端子３１，３２は、同一の半導体素子５０に接続されていてもよいし、異なる半導体素子５０に接続されていてもよい。ただし、樹脂筐体２０外において１つの外部端子３０を構成するため、一対の第１，第２端子３１，３２は、回路領域５４内の同一電位に接続されている必要がある。
【００３６】
一対の第１，第２端子３１，３２は、下端が半導体素子５０に接続され、放熱板１０の幅方向の範囲内で鉛直上方に向かって延び、端子面２２より下方の後述するステップ面２４０の高さ位置で外側に向かって略直角に屈曲し、樹脂筐体２０から突出する。つまり、一対の第１，第２端子３１，３２は、水平面内において、放熱板１０の幅方向の外側に向かって、つまり、ナット収容開口２１を挟む位置において互いに離間する方向に向かって樹脂筐体２０から突出する。
【００３７】
放熱板１０上面の半導体素子５０に第１，第２端子３１，３２が接続され、回路が形成された後に、放熱板１０の上面及び側面には、トランスファーモールド法により樹脂筐体２０が形成されている。樹脂筐体２０は、放熱板１０の回路領域５４を覆うように形成され、半導体素子５０を封止するとともに、第１，第２端子３１，３２の一部を封止する。放熱板１０の下面は、封止することなく露出している。このため、放熱板１０を取付面に密着させることができ、効率的に放熱を行うことができる。
【００３８】
樹脂筐体２０が形成された後、先に第１端子３１が上方に折り曲げられ、更に端子面２２に向けてナット収容開口２１上に折り曲げられる。その後、第２端子３２が上方に折り曲げられ、更に端子面２２上のナット収容開口２１の方向に折り曲げられ、第１端子３１上に重ねられる。
【００３９】
ここで、主に図３から図５を用いて、樹脂筐体２０から第１，第２端子３１，３２が突出する部分の形状を説明する。ナット収容開口２１は、樹脂筐体２０上面の水平な端子面２２上に形成される。端子面２２の図３で見て左右の縁部には、樹脂筐体２０の側面から内側に、上面から下方に向けて形成された溝状のステップ壁２４１と、ステップ壁２４１の下端から樹脂筐体２０の側面に至る水平なステップ面２４０とを有し、これらステップ面２４０とステップ壁２４１から段差部２４が構成される。
【００４０】
第１，第２端子３１，３２は、ステップ面２４０からそれぞれナット収納開口２１を挟んだ位置で互いに反対向きに、樹脂筐体２０から突出して引き出されている。そして、第１，第２端子３１，３２のそれぞれは、ステップ面２４０からステップ壁２４１に沿って上方に折り曲げられる。このとき、第１，第２端子３１，３２は、溝状のステップ壁２４１内にそれぞれ収容され、樹脂筐体２０の側面から第１，第２端子３１，３２が幅方向にはみ出さないようにされている。
【００４１】
ステップ壁２４１内に第１，第２端子３１，３２が収容されるため、第１，第２端子３１，３２が斜めにねじれて折り曲げられるのを防止できる。そのため、ステップ壁２４１の厚みは、第１，第２端子３１，３２の厚み以上あることが望ましい。一方、第１，第２端子３１，３２の厚み方向の一部のみがステップ壁２４１の内部に入り込む厚みであっても、第１，第２端子３１，３２のねじれは防止でき、その点では必ずしもステップ壁２４１の厚みはこの厚みに限定されることはない。
【００４２】
また、ステップ壁２４１内に第１，第２端子３１，３２の一部あるいは全部が収容されるようにしているため、仮に第１，第２端子３１，３２が斜めに折り曲げられたとしても、容易に目視で製造不良を確認できる効果を有する。
【００４３】
端子面２２からステップ壁２４０に折れ曲がる直線状のエッジが形成されている。第１端子３１に対応する当該エッジが、第１折り曲げ当接部２２ｅとして使用される。一方、第２端子３２側に対応するステップ面２４０が形成された端子面２２の縁部には、端子面２２から上方向に突出する突起部２３が形成され、その突起部２３の上端外側縁部のエッジが形成され、当該エッジが、第２折り曲げ当接部２３ｅとして使用される。
【００４４】
ここで、第１，第２折り曲げ当接部２２ｅ，２３ｅの幅が、第１，第２端子３１，３２の幅より狭い幅の場合、第１，第２端子３１，３２の一部が折り曲げ位置を拘束されずに曲がってしまい、第２端子３２の第２締結孔３４がナット収容開口２１に対応しない場合や、第２端子３２が端子面２２に平行にならないことが考えられる。そこで、第１折り曲げ当接部２２ｅは、第１端子３１の幅方向に延びる直線形状であり、第１端子３１の幅以上の幅を有している。同様に、第２折り曲げ当接部２３ｅは、第２端子３２の幅方向に延びる直線形状であり、第２端子の幅以上の幅を有している。第１，第２折り曲げ当接部２２ｅ，２３ｅが、第１，第２端子３１，３２の幅以上の幅を有しているため、第１，第２端子３１，３２全体が第１，第２折り曲げ当接部２２ｅ，２３ｅに当接することで、定められた位置に折り曲げられる。
【００４５】
第１端子３１は、ナット収容開口２１方向への折り曲げ時に第１折り曲げ当接部２２ｅに当接し、第１折り曲げ当接部２２ｅを支点として折り曲げられる。このため、折り曲げ高さ位置は、第１折り曲げ当接部２２ｅによって規定される。一方、第２端子３２は、ナット収容開口２１方向への折り曲げ時に第２折り曲げ当接部２３ｅに当接し、第２折り曲げ当接部２３ｅを支点として折り曲げられる。このため、折り曲げ高さ位置は、第２折り曲げ当接部２３ｅによって規定される。このため、一対の第１，第２端子３１，３２を端子面２２からの高さが異なる位置において折り曲げることができる。
【００４６】
折り曲げられた一対の第１，第２端子３１，３２の端子面２２からの高さは、第２端子３２が、第１端子３１よりも高く、その差は、突起部２３の高さに略一致する。このため、突起部２３の高さを予め適切に定めることにより、適切に重なり合うように一対の第１，第２端子３１，３２を折り曲げることができる。例えば、突起部２３の高さを第１端子３１の厚さに略一致させることにより、第１，第２端子３１，３２の重複部分が、互いに隣接し、互いに略平行となるように配置することができる。
【００４７】
また、突起部２３が、第２端子３２側のみに設けられることにより、先に折り曲げるべき第１端子３１と、後から折り曲げるべき第２端子３２とを容易に見分けることができる。このため、製造時に誤って第２端子３２が先に折り曲げられるのを防止することができる。
【００４８】
第１，第２端子３１，３２の第１，第２締結孔３３，３４は、第１，第２端子３１，３２の予め定められた位置に設けられ、第１，第２端子３１，３２を、第１，第２折り曲げ当接部２２ｅ，２３ｅによって常に予め定められた高さ位置で折り曲げることができるので、ナット収容開口２１と対応した位置に安定して配置され、折り曲げ位置がばらついて、第１，第２締結孔３３，３４がナット収容開口２１と対応しなくなることが防止でき、半導体装置１を安定して製造することができる。
【００４９】
また、第１，第２端子３１，３２は、樹脂筐体２０外において、ナット収容開口２１に向かって折り曲げられ、その先端が端子面２２上に配置される。つまり、第１，第２端子３１，３２は、樹脂筐体２０外において互いに逆方向に折り曲がった状態で突出しており、ナット収容開口２１を挟んで反対側からナット収容開口２１へそれぞれ向かい、端子面２２上において互いに重複して配置される。この状態において、それぞれの第１，第２締結孔３３，３４は、ナット収容開口２１と対応するように配置されている。このため、締結ネジを第１，第２締結孔３３，３４に挿通し、さらに端子ナット４０と係合することができる。
【００５０】
突起部２３は、第２端子３２の幅方向に直線的に延びる細長い形状からなり、第２端子３２の幅以上の幅を有することが望ましいが、本発明は、このよう構成のみに限定されない。突起部２３は、第２折り曲げ当接部２３ｅを有するものであればよく、例えば、第２端子３２の幅よりも短い幅を有するものであってもよい。また、幅方向に配列する２以上の突起形状を突起部２３とすることもできる。また、本例では突起部２３が第２端子３２に対応する側にのみ形成されている例を示したが、第１，第２端子３１，３２の両方に対応する側に、それぞれ高さの異なる突起部２３を形成することもできる。
【００５１】
なお、本実施の形態では、第２折り曲げ当接部２３ｅが、第２端子３２の幅方向に延びる直線形状であり、第２端子３２の幅以上の幅を有する場合の例について説明したが、本発明は、このような構成のみに限定されない。第２折り曲げ当接部２３ｅは、第２端子３２の折り曲げ位置を規定するものであれば、第２端子３２の幅方向の一部に当接するものであってもよい。例えば、１つの点又は幅方向に配列する２以上の点において第２端子３２に当接するものであってもよい。
【００５２】
同様にして、第１折り曲げ当接部２２ｅについても、第１端子３１の幅方向に延びる直線形状であり、第１端子３１の幅以上の幅を有する場合の例について説明したが、本発明は、このような構成のみに限定されない。第１折り曲げ当接部２２ｅは、第１端子３１の折り曲げ位置を規定するものであれば、第１端子３１の幅方向の一部に当接するものであってもよい。例えば、１つの点又は幅方向に配列する２以上の点において第１端子３１に当接するものであってもよい。
【００５３】
また、本実施の形態では、１つの半導体装置１に２つの外部端子３０を備える場合の例について説明したが、本発明は、このような構成のみに限定されず、１つの半導体装置１が１又は３以上の外部端子３０を備えていてもよい。
【００５４】
また、本実施の形態では、一対の第１，第２端子３１，３２が、樹脂筐体２０内においても分離している場合の例について説明したが、一対の第１，第２端子３１，３２は、樹脂筐体２０内において連結されていてもよい。例えば、１つの端子であって、樹脂筐体２０外に両側面方向に引き出され、一対の第１，第２端子３１，３２として用いられるものであってもよい。
【符号の説明】
【００５５】
１        半導体装置
１０      放熱板
１１      取付穴
２０      樹脂筐体
２１      ナット収容開口
２２      端子面
２２ｅ    第１折り曲げ当接部
２３      突起部
２３ｅ    第２折り曲げ当接部
２４      段差部
２４０    ステップ面
２４１    ステップ壁
３０      外部端子
３１      第１端子
３２      第２端子
３３      第１締結孔
３４      第２締結孔
４０      端子ナット
４１      配線
４２      端子金具
４３      締結ネジ
５０      半導体素子
５４      回路領域
【要約】      （修正有）【課題】外力が加えられた際の外部端子の浮き上がりを抑制し、半導体装置の信頼性を向上させる。【解決手段】半導体素子に接続され、締結孔３３、３４を有する一対の端子３１、３２と、放熱板１０を覆い半導体素子を封止し、上面に形成された端子面２２と、長手方向の一対の側面と、短手方向の一対の前後面とを有し、端子ナット４０を埋没させるためのナット収容開口２１が端子面に形成された形成された樹脂筐体２０と、を備える。樹脂筐体は、一対の端子の夫々に当接し、端子の折り曲げ位置を規定する一対の折り曲げ当接部を有する。一方の端子に対応する一方の折り曲げ当接部と、他方の端子３２に対応する他方の折り曲げ当接部は、異なる高さに形成されている。一対の端子は、ナット収容開口を挟む位置において樹脂筐体から突出し、ナット収容開口上において互いに重複するように折り曲げられており、締結孔がナット収容開口と対応するように配置される。【選択図】図１【図１】
0006797505.tif 000002
【図２】
0006797505.tif 000003
【図３】
0006797505.tif 000004
【図４】
0006797505.tif 000005
【図５】
0006797505.tif 000006
【図６】
0006797505.tif 000007
【図７】
0006797505.tif 000008